(57)【要約】【課題】  複雑な機構としたり付加装置を取付けたりすることなく感光体周速度が変動しない感光体駆動装置、感光装置、およびこれを用いた画像形成装置を提供すること。【解決手段】  駆動モータ支持部材２１を介して画像形成装置に取付けられた駆動モータ１の出力軸に、感光体の駆動を行なう第１の駆動伝達手段と、感光体周辺部の駆動を行なう第２の駆動伝達手段とを設け、第１の駆動伝達手段は出力軸に設けた歯付プーリ３からの歯付ベルトによる駆動伝達を行ない、第２の駆動伝達手段は出力軸に設けたピニオンギヤ４からのギヤ列による駆動伝達を行ない、且つピニオンギヤより下流のギヤを支持するギヤ列支持部材２６を設け、このギヤ列支持部材２６と駆動モータの支持部材２６とは別体とし、且つギヤ列支持部材２６を駆動モータ支持部材２６と直接接触しないよう間隔ｄを開けて固定した。【選択図】  図２
2005091669.tif 000002
【特許請求の範囲】
【請求項１】
駆動モータ支持部材を介して装置に取付けられた駆動モータの出力軸に、感光体の駆動を行なう第１の駆動伝達手段と、感光体周辺部の駆動を行なう第２の駆動伝達手段とを設け、前記第１の駆動伝達手段は出力軸に設けた歯付プーリからの歯付ベルトによる駆動伝達を行ない、前記第２の駆動伝達手段は出力軸に設けたピニオンギヤからのギヤ列による駆動伝達を行なうものとし、前記駆動モータを支持するモータ支持部材と、前記ピニオンギヤより下流のギヤを支持するギヤ列支持部材とを設け、前記駆動モータ支持部材と前記ギヤ列支持部材とは別体として形成し、且つ駆動モータ支持部材とギヤ列支持部材をと接触しないように固定したことを特徴とする感光体駆動装置。
【請求項２】
駆動モータ支持部材を介して装置に取付けられた駆動モータの出力軸に、感光体の駆動を行なう第１の駆動伝達手段と、感光体周辺部の駆動を行なう第２の駆動伝達手段とを設け、前記第１の駆動伝達手段は出力軸に設けた歯付プーリからの歯付ベルトによる駆動伝達を行ない、前記第２の駆動伝達手段は出力軸に設けたピニオンギヤからのギヤ列による駆動伝達を行なうものとし、前記駆動モータを支持するモータ支持部材と、前記ピニオンギヤより下流のギヤを支持するギヤ列支持部材とを設け、前記駆動モータ支持部材と前記ギヤ列支持部材とは別体として形成し、且つギヤ列支持部材を駆動モータ支持部材に弾性材を介して固定したことを特徴とする感光体駆動装置。
【請求項３】
請求項１または請求項２の感光体駆動装置において、上記ギヤ列の中間ギヤを樹脂材料により形成したことを特徴とする感光体駆動装置。
【請求項４】
請求項１ないし請求項３のいずれかの感光体駆動装置において、上記感光体周辺部の駆動伝達手段のギヤ列をはすば歯車または、やまば歯車により構成したことを特徴とする感光体駆動装置。
【請求項５】
請求項１ないし請求項４の感光体駆動装置を備えたことを特徴とする感光装置。
【請求項６】
請求項１ないし請求項４に記載の感光体駆動装置を備えたことを特徴とする画像形成装置。
【請求項７】
請求項５の感光装置を備えたことを特徴とする画像形成装置。
【発明の詳細な説明】
【技術分野】
【０００１】
本発明は、感光体駆動装置、感光装置、およびこれを用いた画像形成装置の技術に係り、特に感光体周速の速度むらを防止することができる感光体駆動装置、感光装置、およびこれを用いた画像形成装置に関する。
【背景技術】
【０００２】
従来から、電子写真方式を用いた画像形成装置例えば、複写機、プリンタ等の感光体駆動装置として以下のものがある。この感光体駆動装置は、感光体および感光体周辺の機器を一つのモータで駆動するものである。このような技術においては、モータの駆動軸に二つのピニオンギヤを同軸に設け、ギヤ列や歯つきベルトを介して感光体および感光体周辺の機器を駆動するようにしている。
【発明の開示】
【発明が解決しようとする課題】
【０００３】
このような複写機、プリンタ等の感光体駆動装置においては、駆動系の負荷変動や振動等に起因して感光体周速に速度ムラを生じると形成画像が乱れ、画質に悪影響を与えることがある。
【０００４】
これらの外部からのノイズの影響を避けるため、感光体駆動軸上にフライホイールを設け周速の変動を防止したり、感光体にブレーキを付加して回転速度の制御を行ったり、感光体の速度変動を検知し制御系にフィードバックして速度制御を行なう方法等が実施されている。しかしながら、前記いずれの方法の場合も、装置の大型化や機構の複雑化を伴うことは避けられない。
そこで本発明は、複雑な機構としたり付加装置を取付けたりすることなく感光体周速度が変動しない感光体駆動装置、感光装置、およびこれを用いた画像形成装置を提供することを目的とする。
【課題を解決するための手段】
【０００５】
請求項１の発明は、駆動モータ支持部材を介して装置に取付けられた駆動モータの出力軸に、感光体の駆動を行なう第１の駆動伝達手段と、感光体周辺部の駆動を行なう第２の駆動伝達手段とを設け、前記第１の駆動伝達手段は出力軸に設けた歯付プーリからの歯付ベルトによる駆動伝達を行ない、前記第２の駆動伝達手段は出力軸に設けたピニオンギヤからのギヤ列による駆動伝達を行なうものとし、前記駆動モータを支持するモータ支持部材と、前記ピニオンギヤより下流のギヤを支持するギヤ列支持部材とを設け、前記駆動モータ支持部材と前記ギヤ列支持部材とは別体として形成し、且つギヤ列支持部材を駆動モータ支持部材と接触しないように固定したことを特徴とするものである。
請求項２の発明は、駆動モータ支持部材を介して装置に取付けられた駆動モータの出力軸に、感光体の駆動を行なう第１の駆動伝達手段と、感光体周辺部の駆動を行なう第２の駆動伝達手段とを設け、前記第１の駆動伝達手段は出力軸に設けた歯付プーリからの歯付ベルトによる駆動伝達を行ない、前記第２の駆動伝達手段は出力軸に設けたピニオンギヤからのギヤ列による駆動伝達を行なうものとし、前記駆動モータを支持するモータ支持部材と、前記ピニオンギヤより下流のギヤを支持するギヤ列支持部材とを設け、前記駆動モータ支持部材と前記ギヤ列支持部材とは別体として形成し、且つギヤ列支持部材を駆動モータ支持部材に弾性材を介して固定したことを特徴としたものである。
【０００６】
請求項３の発明は、請求項１ないし請求項３のいずれかの感光体駆動装置において、上記ギヤ列の中間ギヤを樹脂材料により形成したものである。
【０００７】
請求項４の発明は、請求項１ないし請求項４のいずれかの感光体駆動装置において、上記感光体周辺部の駆動伝達手段のギヤ列をはすば歯車または、やまば歯車により構成したことを特徴とするものである。
【０００８】
請求項５の発明は、請求項１ないし請求項５の感光体駆動装置を備えたことを特徴とする感光装置である。
【０００９】
請求項６の発明は、請求項１ないし請求項４のいずれかの感光体駆動装置を備えたことを特徴とする画像形成装置である。
【００１０】
請求項７の発明は、請求項５の感光装置を備えたことを特徴とする画像形成装置である。
【発明の効果】
【００１１】
本発明によれば、感光体以外の被駆動部で発生した負荷変動、振動等のノイズが感光体駆動部に影響を与えることを防止でき、振動等に起因する画像の劣化の発生を防止し得ることができる。
【発明を実施するための最良の形態】
【００１２】
以下本発明に係る実施の形態について説明する。本例に係る画像形成装置１００には、その躯体に感光体駆動装置１２０、紙搬送駆動装置１３０、現像定着駆動装置１４０、原稿送り駆動装置１５０が設けられている。本例において、感光体駆動装置１２０は、１台の駆動用のモータ１により感光体とその周辺に配置された周辺装置、例えば転写装置、クリーニング装置を駆動する。本発明は感光体駆動装置１２０において、感光体ドラムの駆動は歯付プーリからの歯付ベルトによる駆動伝達を行ない、感光体周辺の装置例えば現像装置、クリーニング装置の駆動は出力軸に設けたピニオンギヤからのギヤ列による駆動伝達を行ない、且つピニオンギヤより下流のギヤを支持するギヤ列支持部材を設け、このギヤ列支持部材と駆動モータの支持部材とは別体とし、且つギヤ列支持部材を駆動モータ支持部材と接触しないように固定したものである。以下本発明の実施例について説明する。
【実施例１】
【００１３】
次に、発明の実施例を説明する。図１は本発明例に係る感光体駆動装置を備えた画像形成装置の斜視図、図２は図１に示した感光体駆動装置の機構を示すスケルトン図、図３は図１に示した感光体駆動装置の構成を示す平面図である。
【００１４】
本例ではモータ１の出力軸２には感光体駆動用の歯つきプーリ３と感光体周辺部駆動用のピニオンギヤ４とが同軸に取付けられている。また、本例では、感光体ドラム軸５には感光体ドラム（図示していない）が取付けられており、感光体ドラム軸５の端部には歯つきプーリ３を固着している。そして、前記歯つきプーリ３とドラムプーリ６とには、歯付きベルト７が巻きかけてあり、モータ１により感光体ドラムを回転駆動する。なお符号１９は歯付きベルト７の張りを調整するアイドルプーリを、１９ａはその軸を示している。
また、ピニオンギヤ４には合成樹脂例えばナイロン樹脂製のアイドルギヤ１０が噛合し、アイドルギヤ１０には感光体周辺部駆動ギヤ８が噛合して歯車列を形成しており、モータ１の駆動力を感光体周辺部駆動ギヤ８に伝達する。本例では上記ピニオンギヤ４、アイドルギヤ１０、および感光体周辺部駆動ギヤ８のギヤ列をはすば歯車としている。なおこの歯車列と歯形としては、平歯車の他、やまば歯車を使用することができる。
【００１５】
また、感光体周辺部駆動ギヤ８には歯付きプーリ９が軸８ａに同軸かつ一体に形成されている。このようにしてピニオンギヤ４とプーリ９とは駆動連結されている。そしてこのプーリ９には歯付きベルト１１が巻きかけられており感光体周辺部の駆動を行なう。尚１０ａはアイドルギヤ１０の軸を示している。
本例では、歯付きベルト１１は転写ベルト駆動軸１２ａに取付けられた歯付きプーリ１２、クリーニングユニット駆動軸１３ａに取付けられた歯付きプーリ１３に巻きかけられそれぞれの駆動軸１２ａ，１３ａに駆動伝達を行なう。ここで転写ベルト駆動軸１２ａ、クリーニングユニット駆動軸１３ａはそれぞれ図示しないユニットへ連結されている。このように、感光体への駆動伝達経路とその他のユニットへの駆動伝達経路とは別個に構成されている。尚符号１３，１４はアイドルプーリの軸、符号１３ａ、１４ａはアイドルプーリを示している。
【００１６】
次に、モータ１の出力軸２周辺における詳細な構成を説明する。図３および図４に示すように、モータ１は駆動モータ支持部材２１により画像形成装置の躯体へ固定されている。この駆動モータ支持部材２１は、金属板材をプレス加工して形成されたものであり、モータ１を保持するモータ保持凹部２２と、モータ保持凹部２２端縁部から外側に突出するフランジ部２３とからなり、フランジ部２３においてボルト２４により画像形成装置の躯体へ固定されている。
【００１７】
また、モータ１の出力軸２に設けられたピニオンギヤ４に噛合するアイドルギヤ１０および感光体周辺部駆動ギヤ８の支軸１０ａ，８ａは、ギヤ支持部材２６により画像形成装置の躯体に取付けられている。このギヤ支持部材２６は金属板材をプレス加工して形成されたものであり、軸取付部２７と脚部２８とフランジ部２９とから形成され、ボルト３０により画像形成装置の躯体に固定されている。
【００１８】
そして本例では、図４に示すように、駆動モータ支持部材２１とギヤ支持部材２６とは間隔ｄを隔てて配置されるよう寸法設定されている。この構成によれば、歯付きベルト１１により駆動伝達が行なわれている転写装置やクリーニング装置等の被駆動部において負荷変動や振動が発生した場合でも、ギヤ支持部材２６に伝わった振動等が駆動モータ支持部材２１に直接伝達することがなくなり、感光体駆動手段での画像形成に悪影響を及ぼすことがなくなる。
【００１９】
また、本例においては、アイドルギヤ１０を樹脂材料により形成しているから、またピニオンギヤ４、アイドルギヤ１０、および感光体周辺部駆動ギヤ８のギヤ列をはすば歯車としているから、アイドルギヤ１０以下で発生する上記の負荷変動や振動が、ギヤのかみ合い部を通じて伝達することを緩和できると供に、ギヤのかみ合い率を増加させることができ、ギヤ列で定常的に発生する振動を低減することができる。
【実施例２】
【００２０】
次に本発明に係る感光体駆動装置の他の形態について説明する。図５は、は本例に係る感光体駆動装置のモータ１の出力軸２周辺における詳細な構成を示す平面図、図６は同じく側面図である。本例においてギヤ支持部材４１は装置本体の筐体ではなくモータ支持部材３１に対して固定されている。即ち、モータ支持部材３１は４面の壁板部３２，３３，３４，３５からなる断面四角形状の筒状部材から形成され、筒部開口の下端端部にはモータ取付壁部３６が形成されている。また壁板部３５にはギヤ支持部材４１取付用のネジ穴が形成されている他、装置本体の躯体への取付用のフランジ部３７が形成されている。そして、このモータ支持部材３１はフランジ部３７をボルト３８で躯体に取付け固定されている。
【００２１】
また、ギヤ支持部材４１は板状部材で形成され、軸８ａ、軸１０ａが立設されていると供に３個所のボルト穴４４が開設されている。本例では、ギヤ支持部材４１はモータ支持部材３１にボルト４３で固定されている。そして、部両者の３個所の連結部分には弾性部材４２が配置されている。この弾性部材４２は例えばリング状のゴムであり、モータ支持部材３１とギヤ支持部材４１との間に間隔ｄの隙間を発生させると供に、ボルト４３が直接ギヤ支持部材４１に触れるのを防止する。
【００２２】
この構成によれば、歯付きベルト１１により駆動伝達が行なわれている転写装置やクリーニング装置等の被駆動部において負荷変動や振動が発生した場合でも、ギヤ支持部材４１に伝わった振動等は弾性部材４２で吸収され駆動モータ支持部材３１に直接伝達することがなくなり、感光体駆動手段での画像形成に悪影響を及ぼすことがなくなる。
また、本例においても、アイドルギヤ１０を樹脂材料により形成しギヤ列をはすば歯車とすれば負荷変動や振動が、ギヤのかみ合い部を通じて伝達することを緩和できると供に、ギヤのかみ合い率を増加させることができ、ギヤ列で定常的に発生する振動を低減することができる。
【００２３】
本発明は、電子写真式印刷装置、例えばレーザやＬＣＤを光源として用いた普通紙プリンタ、普通紙コピー、普通紙ファクシミリに適用され、感光体以外の被駆動部で発生した負荷変動、振動等のノイズが駆動モータ支持部に直接伝達し、これが感光体駆動部に影響を与えることを防止でき、振動、速度ムラに起因する画像の劣化の発生を防止して良好な画像を得ることができ、且つ単純な構造であるため装置の小形化が図れる。
【図面の簡単な説明】
【００２４】
【図１】本発明の実施形態に係る感光体駆動装置を備えた画像形成装置の斜視図である。
【図２】図１に示した感光体駆動装置の機構を示すスケルトン図である。
【図３】図１に示した感光体駆動装置の構成を示す平面図である。
【図４】図１に示した感光体駆動装置の構成を示す図３中Ａ−Ａ線に相当する断面図である。
【図５】本発明に係る感光体駆動装置の他の実施形態を示す平面図である。
【図６】図５に示した感光体駆動装置の構成を示す図５中Ｂ−Ｂ線に相当する断面図である。
【符号の説明】
【００２５】
１     モータ
２     出力軸
３     プーリ
４     ピニオンギヤ
５     感光体ドラム軸
６     ドラムプーリ
７     ベルト
８     感光体周辺部駆動ギヤ
８ａ   軸
９     プーリ
１０   アイドルギヤ
１０ａ 軸
１１   ベルト
１２   プーリ
１２ａ 転写ベルト駆動軸
１３   プーリ
１３ａ クリーニングユニット駆動軸
２１   駆動モータ支持部材
２２   モータ保持凹部
２３   フランジ部
２４   ボルト
２６   ギヤ支持部材
２７   軸取付部
２８   脚部
２９   フランジ部
３０   ボルト
３１   モータ支持部材
３１   駆動モータ支持部材
３２，３３，３４，３５       壁板部
３５   壁板部
３６   モータ取付壁部
３７   フランジ部
３８   ボルト
４１   ギヤ支持部材
４２   弾性部材
４３   ボルト
４４   ボルト穴
【図１】
2005091669.tif 000003
【図２】
2005091669.tif 000004
【図３】
2005091669.tif 000005
【図４】
2005091669.tif 000006
【図５】
2005091669.tif 000007
【図６】
2005091669.tif 000008